(57)【要約】【課題】  複数のパーツを適宜組み合わせることで好みのアクセサリー具とする。【解決手段】  身体に身に付けるネックレス、ブレスレット、イヤリング、ピンバッジ、安全ピン等の装身具本体１による複数のベースパーツＰの少なくともいずれか１つに、宝石を具備した貴金属製の装飾体２による複数のジャケットパーツＲの少なくとも１つを好みに応じて着脱可能にしたジョイントパーツＱを備える。ジョイントパーツＱは、ベースパーツＰに、当該ジャケットパーツＲに形成した環状取付部を介して着脱可能に取り付けられるよう当該環状取付部、ベースパーツＰそれぞれを挿入保持するスライドフック開放部もしくは引き起こし開放部を備えたＣカン状のリング部材５等によって形成する。【選択図】      図１
2006101958.tif 000002
【特許請求の範囲】
【請求項１】
ネックレス、ブレスレット、イヤリング、ピンバッジ、安全ピン等の装身具本体による複数のベースパーツの少なくともいずれか１つに、宝石を具備した貴金属製の装飾体による複数のジャケットパーツの少なくとも１つを好みに応じて着脱可能にしたジョイントパーツを備えたことを特徴とする装身具。
【請求項２】
ジョイントパーツは、前記ベースパーツに、当該ジャケットパーツに形成された環状取付部を介して着脱可能に取り付けられるよう当該環状取付部、ベースパーツそれぞれを挿入保持させるスライドフック開放部もしくは引き起こし開放部を備えたＣカン状のリング部材によって形成されている請求項１記載の装身具。
【請求項３】
ジョイントパーツは、前記ベースパーツに、当該ジャケットパーツの環状取付部を介して着脱可能に取り付けられるよう当該環状取付部、ベースパーツそれぞれを掛架保持させ、且つ枢支部を介して引き起こし回動可能とした一対の脚部を備えて成る装飾フック部材によって形成されている請求項１記載の装身具。
【請求項４】
ジョイントパーツは、その外形が円形、長円形、ハート形、スペード形、クローバ形、菱形、８の字形等のリングのいずれかのループ形状を有する請求項１乃至３のいずれか記載の装身具。
【発明の詳細な説明】
【技術分野】
【０００１】
本発明は、身体その他を装飾するために、例えば直接に身に付けるネックレス、ブレスレット、イヤリング、ピンバッジ、安全ピン等に各種の装飾用パーツを組合せ自在にした装身具に関するものである。
【背景技術】
【０００２】
近時は、装身具に対する着用者の好みが多様化しているのに対応して、それらのニーズに合わせた複数のものを予め用意し、店頭に陳列し、販売しているものであった。そして身に付けるネックレス、ブレスレット、イヤリング等の装身具は、各個人によって複数種類のものが購入され、これら複数の装身具をＴＰＯに対応させて使用している。また、例えばオンタイム時には地味な装身具を身に付け、オフタイム時には派手な装身具を装用する等、これらを好みに応じて使い分けていた。
【特許文献１】特になし
【発明の開示】
【発明が解決しようとする課題】
【０００３】
ただ、販売、提供に際し、使用者のニーズに合わせた複数の装身具を予め用意しておくとすれば、着用者の好みが多様化している今日では、その全てに対応するのは非常に面倒である。しかも、従来のように複数の装身具を好みに応じて使い分けるというような単純な使用方法だけでなく、ＴＰＯその他に対応してこれら複数の装身具を好みに応じて組み合わせたり、購入者が自分の好みで変更ないし作製できるようにしたりする場合も必要となる。例えばオンタイム時、オフタイム時それぞれに応じて、複数のパーツを適宜組み合わせることで一つの装身具を基本としてそれを種々に変化させることで好みのアクセサリー具とするような従来とは異なる使用方法の必要性も生じてくる。
【０００４】
しかしながら、従来ではこのような複数の装身具を好みに応じて適宜組み合わせることで１セットとして使用可能とするような提案が全く存在しないのであった。しかも、これらの使用者の好みに対応させて装身具を適宜に組み合わせて着用可能とした場合であっても、組み合わせるパーツとなる装身具の裏表が互い違いとなったり、あるいは一方の装身具に繋がれている他方の装身具が自体の重みで前方に傾くことによって所定の正常な組み合わせ状態を維持できなくなる等の不都合も生じている。
【０００５】
そこで本発明は叙上のような従来存した諸事情に鑑み創出されたもので、構造的に分割分離された複数のパーツを適宜組み合わせることで好みのアクセサリー具とすることを可能にし、しかもこれらの装身具を好みに応じて組み合わせて着用可能とした場合でも、それらの装身具のパーツが例えばその表裏が互い違いとなってしまったり、あるいは一方の装身具に繋がれている他方の装身具が自体の重みで前方に傾くことによって所定の本来のイメージの組み合わせ状態を維持できなくなる等の不都合を回避できるようにした装身具を提供することを目的とする。
【課題を解決するための手段】
【０００６】
上述した課題を解決するため、本発明にあっては、ネックレス、ブレスレット、イヤリング、ピンバッジ、安全ピン等の装身具本体１による複数のベースパーツＰの少なくともいずれか１つに、宝石を具備した貴金属製の装飾体２による複数のジャケットパーツＲの少なくとも１つを好みに応じて着脱可能にしたジョイントパーツＱを備えて、構成したものである。
ジョイントパーツＱは、前記ベースパーツＰに、当該ジャケットパーツＲに形成された環状取付部２Ａを介して着脱可能に取り付けられるよう当該環状取付部２Ａ、ベースパーツＰそれぞれを挿入保持させるスライドフック開放部３もしくは引き起こし開放部４を備えたＣカン状のリング部材５によって形成されているものとできる。
ジョイントパーツＱは、前記ベースパーツＰに、当該ジャケットパーツＲの環状取付部２Ａを介して着脱可能に取り付けられるよう当該環状取付部２Ａ、ベースパーツＰそれぞれを掛架保持させ、且つ枢支部８を介して引き起こし回動可能とした一対の脚部７，７を備えて成る装飾フック部材９によって形成されているものとできる。
ジョイントパーツＱは、その外形が円形、長円形、ハート形、スペード形、クローバ形、菱形、８の字形等のリングのいずれかのループ形状を有するものとできる。
【０００７】
以上のように構成された本発明に係る装身具にあって、ジョイントパーツＱは、ネックレス、ブレスレット、イヤリング、ピンバッジ、安全ピン等の装身具本体１によるベースパーツＰに、宝石を具備した貴金属製の装飾体２による複数のジャケットパーツＲの少なくとも１つを取り付け可能にさせ、これにより好みの装飾用パーツを組み合わせた種々のアクセサリー具を創出させる。
Ｃカン状のリング部材５によって形成されているジョイントパーツＱは、これのスライドフック開放部３を開放させるかもしくは引き起こし開放部４を切り起こすかしてから、そこにジャケットパーツＲの環状取付部２Ａ、ベースパーツＰの一部箇所それぞれを挿入保持させた後、スライドフック開放部３、引き起こし開放部４を閉鎖することで、ベースパーツＰとジャケットパーツＲとを一体化させる。
装飾フック部材９によって形成されているジョイントパーツＱは、一対の脚部７，７を枢支部８を介して開放方向に回動させてから、そこにジャケットパーツＲの環状取付部２Ａ、ベースパーツＰの一部箇所それぞれを掛架保持させた後、一対の脚部７，７を枢支部８を介して閉鎖方向に回動させることで、ベースパーツＰとジャケットパーツＲとを一体化させる。
このとき、閉鎖回動した一対の脚部７，７は、これによってジョイントパーツＱ自体が上下部分に区切られるものとなって、ジョイントパーツＱにジャケットパーツＲを繋げても、ジャケットパーツＲが前方に傾くことがなくなり、組み合わせ状態を常に保持可能とさせる。
これらＣカン状のリング部材５、装飾フック部材９によるジョイントパーツＱは、ベースパーツＰに対し、好みに合った１つもしくは複数のジャケットパーツＲを種々選択して取り付け可能にさせる。
外形が円形、長円形、ハート形、スペード形、クローバ形、菱形、８の字形等のリングのいずれかのループ形状を有するジョイントパーツＱは、種々に表情の異なるデザイン効果を現出させる。
【発明の効果】
【０００８】
本発明によれば、構造的に分割分離された複数のパーツを、各種の装身具本体１としての一群、同じく各種のベースパーツＰとしての一群、各種のジョイントパーツＱとしての一群を予め用意しておき、これらの中から選択して適宜に組合せることとしたので、使用者に応じた好みのアクセサリー具とすることができる。具体的には、装身具本体１に、宝石を具備した貴金属製の装飾体２による複数のジャケットパーツＲの少なくとも１つを好みに応じて着脱可能にしたジョイントパーツで適宜組み合わせることで、これらの装身具を好みに応じて組み合わせたものとしてＴＰＯに対応させて使用可能なものとできる。
【０００９】
すなわこれは本発明が、装身具本体１による複数のベースパーツＰの少なくともいずれか１つに、装飾体２による複数のジャケットパーツＲの少なくとも１つを好みに応じて着脱可能にしたジョイントパーツＱを備えたからであり、これにより好みの組み合わせによるアクセサリー具を容易に形成することができ、しかも着用者による組み合わせの変更も容易に行える。
【００１０】
例えば、オンタイム時にはベースパーツＰからジャケットパーツＲを取り外して地味な印象のものとしておき、一方、オフタイム時にはベースパーツＰに好みのジャケットパーツＲを連結させることでゴージャスなものとする等、これらを好みに応じて使い分けることができる。
【００１１】
ジョイントパーツＱは、前記ベースパーツＰに、当該ジャケットパーツＲに形成された環状取付部２Ａを介して着脱可能に取り付けられるよう当該環状取付部２Ａ、ベースパーツＰそれぞれを挿入保持させるスライドフック開放部３もしくは引き起こし開放部４を備えたＣカン状のリング部材５によって形成されているので、リング部材５のスライドフック開放部３を開放させるかもしくは引き起こし開放部４を引き起こすかする等によってベースパーツＰとジャケットパーツＲとを容易に一体化させることができる。しかもこれらＣカン部材５によるジョイントパーツＱは、ベースパーツＰに対し、好みに合った１つもしくは複数のジャケットパーツＲを種々選択して取り付けることができる。
【００１２】
ジョイントパーツＱは、前記ベースパーツＰに、当該ジャケットパーツＲの環状取付部２Ａを介して着脱可能に取り付けられるよう当該環状取付部２Ａ、ベースパーツＰそれぞれを掛架保持させるべく枢支部８を介して引き起こし回動可能とした一対の脚部７，７を備えて成る装飾フック部材９によって形成されているので、一対の脚部７，７を枢支部８を介して閉鎖方向に回動させることによってベースパーツＰとジャケットパーツＲとを容易に一体化させることができる。
【００１３】
また、一対の脚部７，７は、これによってジョイントパーツＱ自体が、ベースパーツＰに掛架される部分と、ジャケットパーツＲを掛架する部分との上下部分に区切られるものとなって、ジョイントパーツＱにジャケットパーツＲを繋げても、ジャケットパーツＲが自体の重みでもって前方に傾くことがなくなり、所定の一体化された組み合わせ状態を常に保持しておくことができる。
【００１４】
さらに、閉鎖回動する一対の脚部７，７によってジャケットパーツＲ自体を２点で支持させるようにしておけば、ジョイントパーツＱに対するジャケットパーツＲの捩れを防止して組み合わせ後の両者Ｑ，Ｒの表裏が合うようになるため、従来は単にリング状のもので連結すると表裏が反転し捩れて一体感が無くなるのに比して、当該ジョイントパーツＱ、ジャケットパーツＲそれぞれの表面側が身体に対して常に前向きに揃えることとなり、使用中における表面上の一体的デザイン性がくずれることがない。
【００１５】
しかもこの装飾フック部材９によるジョイントパーツＱは、ベースパーツＰに対し、好みに合った１つもしくは複数のジャケットパーツＲを種々選択して取り付けることができると同時に装飾フック部材９自体の装飾性によってさらにゴージャスなアクセサリー感を現出させることができる。
【００１６】
ジョイントパーツＱは、外形が円形、長円形、ハート形、スペード形、クローバ形、菱形、８の字形等のリングのいずれかのループ形状を有するので、種々に表情の異なるデザイン効果を容易に現出させることができる。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下図面を参照して本発明を実施するための最良の一形態を説明すると、図において示される符号Ｐは、身体に身に付ける例えばネックレス、ブレスレット、イヤリング、ピンバッジ、安全ピン等の装身具本体１によるベースパーツであり、該ベースパーツＰは、図１に示すように、必要があれば宝石を具備した貴金属製の装飾体２による複数のジャケットパーツＲの１つまたは２つ以上を好みに応じてジョイントパーツＱによって着脱可能にしてある。
【００１９】
具体的には、図２、図３に示すように、身体その他に、例えば直接に身に付ける各種のベースパーツＰの一群の中から例えばＫ１８ＷＧ等の貴金属製のチェーンネックレスによる装身具本体１を選び、また各種のジャケットパーツＲの一群の中から例えばＫ１８ＷＧ等の貴金属製のプレートもしくはリングに例えばダイヤモンド等の宝石を具備して成る装飾体２を選び、これらの幾つか、例えば２つをジョイントパーツＱによって連繋するものとしてある。尚、ベースパーツＰに対し好みに応じて２つ以上のジャケットパーツＲを連繋しても良い。
【００２０】
ベースパーツＰにおける装身具本体１としては、上記したチェーンネックレス以外に、例えばスクリューネックレス、カットボールムーブチェーンネックレスであったり、あるいはＫ１８ＷＧ等の貴金属製のチェーンリングブレスレットであったり、その他イヤリング、ピンバッジ、安全ピン等であったりしても良い。
【００２１】
ジャケットパーツＲは、図２に示すように、その外形が例えばクローバ形を呈するプチダイヤモンド等によって形成された装飾体２を使用しており、その一端縁部には、リング状のジョイントパーツＱに挿入させるための小径な貴金属製の環状取付部２Ａを形成してある。
【００２２】
このジャケットパーツＲの他の形態としては、上記したクローバ形以外の装飾体２として、例えばハート形、スペード形、菱形、十字架形、リボン形、馬蹄形、イニシャル文字形、クラウン形、星形等の例えばＫ１８ＷＧ等の貴金属製のプレートもしくはリングプレート等の装飾体２、あるいはこれら装飾体２にプチダイヤモンド等の宝石を鏤めたものであっても良い。
【００２３】
ジョイントパーツＱは、その外形が例えばハート形リング状を呈し、且つ途中に手指でスライド開放可能なスライドフック開放部３を形成した例えばＣカン等のリング部材５によって形成されており、このスライドフック開放部３を手指でもってスライド開放させることで、ジャケットパーツＲの環状取付部２Ａ、ベースパーツＰの一部箇所それぞれを挿入できるようにしてある。このスライドフック開放部３は、不図示の内蔵バネによる弾発付勢によって常時閉鎖状態にされていて、この内蔵バネを手指で圧縮させるようにしてスライド突起３Ａを開放位置へスライドさせるようにしてある。
【００２４】
このジョイントパーツＱの他の形態としては、上記したハート形リング状以外に、例えば円形、長円形、スペード形、クローバ形、菱形、８の字形等のリングのいずれかのループ形状を呈していても良く、その形状は特に限定されるものではない。また、上記したＣカン状のリング部材５によるジョイントパーツＱにスライドフック開放部３を形成する替わりに、図３に示すようなリングの一部を枢支部８を介して開放方向または閉鎖方向に回動付勢させた引き起こし開放部４を形成しても良い。
【００２５】
次に、本構成における使用方法について説明すると、先ず、Ｃカン状のリング部材５によって形成されているジョイントパーツＱのスライドフック開放部３のスライド突起３Ａを手指でもって内蔵バネを圧縮するようにしてスライド開放するかもしくは引き起こし開放部４を手指でもって引き起こすか等してから、そこにジャケットパーツＲにおける装飾体２の環状取付部２Ａ、ベースパーツＰの一部箇所それぞれを挿入した後、スライドフック開放部３もしくは引き起こし開放部４を閉鎖することで、ベースパーツＰとジャケットパーツＲとを一体にする。このとき、ジョイントパーツＱに対し、好みに応じて互いに異なる種類の２つ以上のジャケットパーツＲを取り付けても良い。
【００２６】
こうすることで、例えばオンタイム時にはベースパーツＰからジョイントパーツＱごとジャケットパーツＲを取り外して地味な印象が与えられるようにしておき、一方、オフタイム時にはベースパーツＰに好みのジャケットパーツＲをジョイントパーツＱによって連結させることでゴージャスな雰囲気を持つものとする等、これらを好みに応じて使い分ければ良い。
【００２７】
また、ジョイントパーツＱの他の構造としては、引き起こし可能な一対の脚部７，７を備えた装飾フック部材９によって形成されていても良い。すなわち、図４に示すように、装飾フック部材９は、例えばＫ１８ＷＧ等の貴金属製のクローバ形に配置された５つの爪台にプチダイヤモンド等の宝石を嵌合して成るベース部６に対し、一対の脚部７，７を略コ字形となるように中央に配置させた全体が略十字形爪片状の引き起こし片１０が枢支部８を介して開閉自在に取り付けられている。
【００２８】
そして、両脚部７，７間の略中央には、ジャケットパーツＲの環状取付部２を掛架させてから１つの爪台位置に対応するベース部６裏面に突設したピン部９Ａに設けた係止穴部１１に挿入保持される係止突起１２を形成してある。また、一対の脚部７，７は、２つの爪台位置に対応するベース部６裏面に形成されている一対の係止穴部１１それぞれに略２点支持状となって嵌合するものとしてある。
【００２９】
また、この１つの爪台位置に対応する係止穴部１１側の方は略Ｌ字形の突起状に形成されており、このＬ字突起部分にジャケットパーツＲの環状取付部２Ａを掛架保持させるようにしてある。このとき、係止穴部１１は、突起の起立方向に沿って形成されている。
【００３０】
使用に際し、装飾フック部材９の引き起こし片１０を枢支部８を介しての回動により、ベース部６側から手指でもって引き起こして開放状態にしてから、ベースパーツＰの一部箇所にこの開放部分を挿入する。次いで、ジャケットパーツＲの環状取付部２Ａを１つの爪台位置に対応する係止穴部１１側のＬ字突起部分に掛架させてから、引き起こし片１０を枢支部８を介して回動させてベース部６側に向けて閉鎖する。
【００３１】
この際、ジャケットパーツＲの環状取付部２Ａを装飾フック部材９に掛架した状態で、１つの爪台位置に対応するベース部６裏面に設けたピン部９Ａの係止穴部１１に係止突起１２が嵌合されると同時に、一対の脚部７，７は、２つの爪台位置に対応するベース部６裏面の一対の係止穴部１１それぞれに嵌合することでジョイントパーツＱとジャケットパーツＲとが一体となる。このとき、ジョイントパーツＱに対し、好みに応じて複数の様々なジャケットパーツＲを取り付けても良い。
【００３２】
また、一対の脚部７，７は、これによってジャケットパーツＲを２点で支持させるようにしても良い。こうしておけば、ジョイントパーツＱに対するジャケットパーツＲ自体の捩れを防止して組み合わせ後の両者Ｑ，Ｒの表裏が合うものとなるため、従来は単にリング状のもので連結すると表裏が反転し捩れて一体感が無くなるのに比して、当該ジョイントパーツＱ、ジャケットパーツＲそれぞれの表面側が身体に対して常に前向きに揃うこととなり、使用中における表面上の一体のデザイン性がくずれることがないものとなる。
【図面の簡単な説明】
【００３３】
【図１】本発明を実施するための最良の形態における装飾具本体であるベースパーツ、ジョイントパーツ、ジャケットパーツそれぞれの一群の中からの適宜な組み合わせの概略を説明する構成図である。
【図２】同じくベースパーツ、ジョイントパーツ、ジャケットパーツの組合せから成る装身具の使用状態を示す斜視図である。
【図３】同じくベースパーツ、ジョイントパーツ、ジャケットパーツの組合せから成る装身具の分解斜視図である。
【図４】Ｃカン部材によるジョイントパーツの他例を示すもので、（ａ）は開放状態の斜視図、（ｂ）は閉鎖状態の斜視図である。
【図５】一対の脚部を備えた装飾フック部材によるジョイントパーツを示すもので、（ａ）は使用状態の装身具を示す斜視図、（ｂ）は開放状態のジョイントパーツを示す斜視図、（ｃ）は閉鎖状態のジョイントパーツを示す斜視図である。
【符号の説明】
【００３４】
Ｐ…ベースパーツ                        Ｑ…ジョイントパーツ
Ｒ…ジャケットパーツ
１…装身具本体                          ２…装飾体
２Ａ…環状取付部                        ３…スライドフック開放部
３Ａ…スライド突起                      ４…引き起こし開放部
５…リング部材                          ６…ベース部
７…脚部                                ８…枢支部
９…装飾フック部材                      ９Ａ…ピン部
１０…引き起こし片                      １１…係止穴部
１２…係止突起
【図１】
2006101958.tif 000003
【図２】
2006101958.tif 000004
【図３】
2006101958.tif 000005
【図４】
2006101958.tif 000006
【図５】
2006101958.tif 000007